(57)【要約】【課題】無線映像通信機器自身の動作状態等に係るメッセージを映像表示機器に表示させることができるようにすることを目的とする。【解決手段】画像生成部１８からは受信側の無線映像通信機器１自身の動作状態等に係るメッセージ画面のアナログ映像信号が、アナログ映像切替部１３を介して、コーデック１４のエンコード入力に供給される。コーデック１４によりこのメッセージ画面のアナログ映像信号はＭＰＥＧ方式に基づいて圧縮符号化されてデジタル映像信号に変換された後、ＴＳ切替部１６を介して、ｉ．ＬＩＮＫインタフェース１１に供給される。【選択図】図３
2007295336.tif 000002
【特許請求の範囲】
【請求項１】
無線送信された映像通信信号を無線受信し、当該無線受信した映像通信信号に含まれた映像信号を映像表示機器に供給する無線映像通信機器であって、
映像通信信号を無線受信して当該映像通信信号に含まれた映像信号を抽出する無線受信部と、
映像信号を前記映像表示機器に供給する出力部と、
メッセージ画面の映像信号を生成する画像生成部と、
該画像生成部から供給されるメッセージ画面の映像信号を、前記無線受信部が抽出する映像信号の信号形式と同じ信号形式に変換する変換部と、
前記無線受信部が抽出した映像信号が供給されるとともに、該変換部が変換したメッセージ画面の映像信号が供給され、いずれか一方の映像信号を前記出力部に切替出力する切替部と
を備えていることを特徴とする無線映像通信機器。
【請求項２】
前記無線受信部が抽出した映像信号、及び前記外部出力部が出力側の映像表示機器に出力する映像信号は、圧縮符号化されたデジタル映像信号であり、
前記変換部は、前記画像生成部から供給されるメッセージ画面の映像信号を圧縮符号化したデジタル映像信号に変換する
ことを特徴とする請求項１記載の無線映像通信機器。
【請求項３】
前記変換部は、前記無線受信部により受信された映像通信信号に含まれる圧縮符号化されたデジタル映像信号を伸張復号化した画像信号に変換する機能を併せ備え、
前記変換部には、当該伸張復号化した画像信号を前記出力側の映像表示機器とは別の映像表示器に供給するための別の出力部が付設されている
ことを特徴とする請求項２記載の無線映像通信機器。
【請求項４】
無線送信された映像通信信号を無線受信し、当該無線受信した映像通信信号に含まれた映像信号を映像表示機器に供給する無線映像通信機器の自身に係るメッセージ表示方法であって、
映像通信信号を無線受信して当該映像通信信号に含まれた映像信号を抽出する無線受信ステップと、
自身のメッセージ画面の映像信号を生成する画像生成ステップと、
該画像生成ステップで生成したメッセージ画面の映像信号を、前記無線受信ステップで抽出する映像信号の信号形式と同じ信号形式に変換する変換ステップと、
前記無線受信ステップで抽出した映像信号と該変換ステップで変換したメッセージ画面の映像信号との間でいずれか一方の映像信号を切替出力する切替ステップと、
該切替ステップで切替出力された映像信号を映像表示機器に出力する出力ステップと
を有することを特徴とするメッセージ表示方法。
【発明の詳細な説明】
【技術分野】
【０００１】
本発明は、映像信号の供給側である映像送出機器とこの映像信号の出力側である映像表示機器との間に介在させて、映像送出機器と映像表示機器との間で映像信号を無線通信する際に用いる無線映像通信機器に関する。
【０００２】
特に、供給側の映像送出機器から送信側の無線映像通信機器を介して送信される映像通信信号を無線受信し、その受信した映像通信信号に含まれた映像信号を出力側の映像表示機器に出力する受信側の無線映像通信機器に係り、受信側の無線映像通信機器自身で生成したメッセージを、供給側の映像送出機器から供給されるメッセージや出力側の映像表示機器で生成されるメッセージと同様に、出力側の映像表示機器に表示させることが可能な受信側の無線映像通信機器、及びそのメッセージ表示方法に関する。
【背景技術】
【０００３】
従来技術として、特開２００２−１０８３２６号公報記載のような、ＭＰＥＧ（Motion Picture Expert Group）で圧縮符号化されたデジタル映像信号を送出する映像送出装置と、この映像送出装置から送出されてくるデジタル映像信号を受信してその受信映像を表示する映像表示装置とを備えた映像処理装置が知られている。
【０００４】
この映像処理装置では、ＩＥＥＥ（Institute of Electrical and Electronics Engineers）１３９４規格等といった高速シリアルバスで相互接続された映像送出装置（例えば、デジタルバーサタイズディスク装置（ＤＶＤ）等）と映像表示装置（例えば、デジタルテレビジョン受像機（ＤＴＶ）等）との間で、映像送出装置（ＤＶＤ）及び映像表示装置（ＤＴＶ）それぞれにより生成された動作状態や操作案内等に関してのＯＳＤ（On Screen Display）表示を、映像表示装置（ＤＴＶ）の表示画面上に適切に表示制御できる構成になっている。
【０００５】
そのために、映像表示装置（ＤＴＶ）は、ＯＳＤ合成状態確認手段とＯＳＤ表示制御手段とを有する構成になっている。
【０００６】
ＯＳＤ合成状態確認手段は、映像送出装置（ＤＶＤ）に対してそのＯＳＤ表示合成状態を確認する確認要求を送出する一方、映像送出装置（ＤＶＤ）からこの確認要求に対する応答を受けることによって、映像送出装置（ＤＶＤ）から送出されてくる受信映像のＯＳＤ表示合成状態を確認する構成になっている。
【０００７】
また、ＯＳＤ表示制御手段は、ＯＳＤ合成状態確認手段により確認された映像送出装置（ＤＶＤ）からの受信映像のＯＳＤ表示合成状態に応じて、映像送出装置（ＤＶＤ）で合成されたＯＳＤ表示又は映像表示装置（ＤＴＶ）自身のＯＳＤ合成部で合成されたＯＳＤ表示を、映像表示装置（ＤＴＶ）自身の表示画面上に表示制御する構成になっている。
【０００８】
これに対応して、映像送出装置（ＤＶＤ）では、副映像合成状態通知手段を有し、副映像合成状態通知手段は、映像表示装置（ＤＴＶ）からのＯＳＤ表示合成状態に関する確認要求に応答して、映像送出装置（ＤＶＤ）自身のＯＳＤ表示合成状態を映像表示装置（ＤＴＶ）に通知する構成になっている。
【０００９】
その際、映像送出装置（ＤＶＤ）は、自身のＯＳＤ表示を重畳したアナログ映像出力をＭＰＥＧ（Moving Picture Expert Group）で圧縮符号化しデジタル映像信号に変換した上で、上述の高速シリアルバスを介して映像表示装置（ＤＴＶ）に伝送するようになっており、映像表示装置（ＤＴＶ）は、映像送出装置（ＤＶＤ）から伝送されてきたデジタル映像信号を伸張復号化してアナログ映像出力に戻した上で、自身のＯＳＤ表示を重畳する構成になっている。
【００１０】
また、最近では、例えばＩＥＥＥ８０２.１１規格等による無線送受信部とＩＥＥＥ１３９４規格等による有線送受信部とを備えた無線映像通信機器を用いた、無線ＡＶ（Audio & Visual）情報伝送システムが開発されている。
【００１１】
この無線ＡＶ情報伝送システムでは、互いに離間配置されたＡＶ情報の供給側のＡＶ機器とＡＶ情報の出力側（表示側）のＡＶ機器との間で、供給側のＡＶ機器から出力されるＡＶ情報をこの供給側のＡＶ機器と接続されている送信側の無線映像通信機器から無線送信し、これを出力側のＡＶ機器と接続されている受信側の無線映像通信機器で無線受信することによって、供給側のＡＶ機器から出力されるＡＶ情報を出力側のＡＶ機器から表示出力させることができる構成になっている。
【００１２】
その際、供給側のＡＶ機器の出力規格（例えば、デジタル／アナログ）が、出力側のＡＶ機器の入力規格（例えば、デジタル／アナログ）と異なる場合であっても、両者間に介在された送・受信側それぞれの無線映像通信機器により、供給側のＡＶ機器から出力されるＡＶ情報を出力側のＡＶ機器から表示出力させることができる構成になっている。
【００１３】
このような無線ＡＶ情報伝送システムにあっては、ユーザは、これら送・受信側それぞれの無線映像通信機器を介して、例えば家庭内の離れた場所にあるＡＶ機器から供給出力されるＡＶ情報を、身近な場所にある別のＡＶ機器を出力側として、互いに無線接続された送・受信側それぞれの無線映像通信機器を介して、この身近な別のＡＶ機器で視聴できる構成になっている。
【００１４】
【特許文献１】特開２００２−１０８３２６号公報
【発明の開示】
【発明が解決しようとする課題】
【００１５】
ところで、上述した映像送出装置と映像表示装置とが直接通信接続された映像処理装置では、それぞれ機器自身によって生成されたメッセージをＯＳＤ表示にして映像表示させる場合、映像送出装置は映像信号の送信出力にあたって自身のＯＳＤ表示を重畳した映像出力をＭＰＥＧ（Moving Picture Expert Group）を用いて圧縮符号化したデジタル映像信号で映像表示装置に供給すればよく、また、映像表示装置は映像送出装置から供給されたこのデジタル映像信号を自身の表示器に表示出力するにあたって、自身のＯＳＤ表示を重畳して表示出力すればよい。
【００１６】
一方、供給側の映像送出機器と出力側の映像表示機器とを、それぞれ送・受信側の無線映像通信機器を介して無線接続する無線ＡＶ情報伝送システムでは、送・受信側の無線映像通信機器が、例えばＩＥＥＥ８０２.１１規格等による無線送受信部と、ＩＥＥＥ１３９４規格等による有線送受信部とを備えている。
【００１７】
これにより、受信側の無線映像通信機器は、送信側の無線映像通信機器から無線送出されたＭＰＥＧ等でデジタル映像化されたデジタル映像信号を含むデジタル映像通信信号をその無線送受信部によって受信できるとともに、この無線受信したデジタル映像通信信号からＭＰＥＧ等でデジタル映像化されたデジタル映像信号を取り出して、その有線送受信部から出力側の映像表示機器へデジタル映像信号のまま供給することができる構成になっている。
【００１８】
したがって、この場合は、受信側の無線映像通信機器は、その無線送受信部と送信側の無線映像通信機器との間の無線通信区間や、その有線送受信部と出力側の映像表示機器との間のバス区間（有線区間）といった全ての通信区間を、ＭＰＥＧ-ＴＳ（Transport Stream）を用いて圧縮符号化したデジタル映像データで映像伝送する構成になっている。
【００１９】
そのため、無線映像通信機器は、デジタル映像信号を含むデジタル映像通信信号を無線送受信部で無線受信してから、このデジタル映像通信信号に含まれたデジタル映像信号を有線送受信部から映像表示機器に有線供給するまで、このＭＰＥＧ-ＴＳで圧縮符号化したデジタル映像信号をデコードしたりエンコードしたりする必要が無いため、データ処理速度の高速化やデータ処理量の増大がはかれる一方で、次の述べるような問題点が生じることがわかった。
【００２０】
すなわち、受信側の無線映像通信機器自身で生成したメッセージを、例えばＯＳＤ等を使用して、上述した送信側の無線映像通信機器から無線送信されて出力側の映像表示機器に供給するデジタル映像信号に重畳しようとしても、そのデジタル映像信号を無線映像通信機器内でデコードしたりエンコードしたりしないため、無線送受信部で受信して有線送受信部から出力側の映像表示機器に供給するデジタル映像信号に重畳することができなかった。
【００２１】
この結果、受信側の無線映像通信機器が、その無線送受信部と送信側の無線映像通信機器との間の無線通信区間における電波状態等といった自身の動作状態に関するメッセージを、出力側の映像表示機器に供給して表示出力させようとしても、わざわざそのために出力側の映像表示機器に供給するデジタル映像信号を途中でデコードしなければできなかった。
【００２２】
また、ＩＥＥＥ１３９４規格等といった高速シリアルバスで接続された映像送出機器からは、その接続相手側の映像表示機器をＡＶ／Ｃコマンド（AV/C Digital Interface Command Set）でコントロールすることは、前述した映像処理装置で説明したように可能であるが、受信側の無線映像通信機器の動作状態を示すメッセージの表示を出力側の映像表示機器からこの受信側の無線映像通信機器に指示する場合には、受信側の無線映像通信機器と出力側の映像表示機器との両者間で予め独自のＡＶ/Ｃコマンドを決めておき、かつ出力側の映像表示機器に受信側の無線映像通信機器からのメッセージを表示する機能を持たせておかない限り、そのメッセージの表示は不可能であった。そのためには、特定の出力側の映像表示機器が受信側の無線映像通信機器に接続されている場合に限ってしか、受信側の無線映像通信機器からのメッセージの表示を行えなかった。
【００２３】
したがって、上述した無線ＡＶ情報伝送システムにあっては、このように出力側の映像表示機器が受信側の無線映像通信機器からのメッセージを表示できない場合、例えば、その無線送受信部と送信側の無線映像通信機器との間の無線通信区間における電波状態等に異常が生じている場合であっても、その無線通信区間の電波状態についての異常メッセージが出力側の映像表示機器に表示ができないため、出力側の映像表示機器を視聴しているユーザは、その無線通信区間の受信電波状態等の異常発生がわからないまま、その出力表示画面に現れる異常だけに基づいて勘によって回復操作を行わなければならなかった。
【００２４】
本発明は、上述した問題点を鑑みてなされたものであって、供給側の映像送出機器から送信側の無線映像通信機器を介して供給される映像通信信号を無線受信し、その受信した映像通信信号に含まれた映像信号を表示側の映像表示機器に出力する受信側の無線映像通信機器に係り、受信側の無線映像通信機器自身の動作状態等に係るメッセージを表示側の映像表示機器に表示させることができる受信側の無線映像通信機器、及びそのメッセージ表示方法を提供することを目的とする。
【課題を解決するための手段】
【００２５】
上記した課題を達成するために、本発明の無線映像通信機器は、無線送信された映像通信信号を無線受信し、当該無線受信した映像通信信号に含まれた映像信号を映像表示機器に供給する無線映像通信機器であって、映像通信信号を無線受信して当該映像通信信号に含まれた映像信号を抽出する無線受信部と、映像信号を映像表示機器に供給する出力部と、メッセージ画面の映像信号を生成する画像生成部と、画像生成部から供給されるメッセージ画面の映像信号を、無線受信部が抽出する映像信号の信号形式と同じ信号形式に変換する変換部と、無線受信部が抽出した映像信号が供給されるとともに、変換部が変換したメッセージ画面の映像信号が供給され、いずれか一方の映像信号を出力部に切替出力する切替部とを備えていることを特徴とする。
【００２６】
また、本発明のメッセージ表示方法は、無線送信された映像通信信号を無線受信し、当該無線受信した映像通信信号に含まれた映像信号を映像表示機器に供給する無線映像通信機器の自身に係るメッセージ表示方法であって、映像通信信号を無線受信して当該映像通信信号に含まれた映像信号を抽出する無線受信ステップと、自身のメッセージ画面の映像信号を生成する画像生成ステップと、画像生成ステップで生成したメッセージ画面の映像信号を、無線受信ステップで抽出する映像信号の信号形式と同じ信号形式に変換する変換ステップと、無線受信ステップで抽出した映像信号と該変換ステップで変換したメッセージ画面の映像信号との間でいずれか一方の映像信号を切替出力する切替ステップと、切替ステップで切替出力された映像信号を映像表示機器に出力する出力ステップとを有することを特徴とする。
【発明の効果】
【００２７】
本発明によれば、アナログ入力、デジタル入力、アナログ出力、デジタル出力のいずれの場合においても、無線映像通信機器自身の動作状態等といったメッセージを、映像表示機器に表示させることができる。
【００２８】
また、本発明によれば、無線映像通信機器が自身の動作状態等といったメッセージを映像表示機器に表示させることができることで、映像通信信号の送信側の無線映像通信機器との間の無線通信区間で電波状態が不良になった場合でも、その旨のメッセージを出力側の外部機器に表示させることが可能である。
【００２９】
また、本発明によれば、無線映像通信機器におけるＣＯＤＥＣを有効活用することにより、アナログ入・出力、デジタル入・出力を有する無線映像通信機器で大きな部品変更、追加を必要とせずに、自身の動作状態等といったメッセージを映像表示機器に表示させることが可能である。
【００３０】
また、本発明によれば、無線映像通信機器の動作状態等のメッセージを映像表示機器に表示させることが可能になるので、映像通信信号の送信側と受信側とのそれぞれ無線映像通信機器間で双方向的な操作が可能になる。なお、ここで述べた双方向的な操作とは、例えば、送信側の無線映像通信機器に複数のソース機器（映像送出機器）が接続されているときに、機器の選択を受信側の無線映像通信機器から指示して、送信側の無線映像通信機器の処理成功返答を受けて表示する等の操作を指す。
【００３１】
また、本発明によれば、できるだけＯＳＤ表示にすることによって背景に通常映像を表示したり、映像を確認することができる。
【発明を実施するための最良の形態】
【００３２】
本発明の無線映像通信機器及びそのメッセージ表示方法の実施の形態について、図面をもとに説明する。
【００３３】
図１は、本実施の形態の無線映像通信機器を用いた無線ＡＶ情報伝送システムの一実施例の構成図である。
図１において、１は受信側の無線映像通信機器，２は送信側の無線映像通信機器である。また、３は受信側の無線映像通信機器１に対する外部機器としての映像表示機器，４は送信側の無線映像通信機器２に対する外部機器としての映像送出機器である。
【００３４】
ここで、送信側の無線映像通信機器２に対する映像送出機器４としては、例えばＤＶＤ等のデジタル映像送出機器４ａやＶＴＲ等のアナログ映像送出機器４ｂといった映像送出機器４が該当する。そして、送信側の無線映像通信機器２は、これら映像送出機器４から供給されるデジタル映像信号やアナログ映像信号を、受信側の無線映像通信機器１に対して無線送信する。その際、送信側の無線映像通信機器２は、デジタル映像送出機器４ａから例えばＩＥＥＥ１３９４規格による高速シリアルバス５を介して供給されるＭＰＥＧ方式で圧縮符号化されたデジタル映像信号を無線送信する場合は、そのデジタル映像信号をそのまま無線信号化して送信するのに対し、アナログ映像送出機器４ｂから信号線ケーブル６を介して供給されるアナログ映像信号を無線送信する場合は、そのアナログ映像信号をＭＰＥＧ等で圧縮符号化してデジタル映像信号に変換してから、無線信号化して送信する構成になっている。
【００３５】
これに対して、受信側の無線映像通信機器１に対する映像表示機器３としては、例えばＤＴＶ等のデジタル映像表示機器３ａや通常のＴＶ装置等のアナログ映像表示機器３ｂといった映像表示機器３が該当する。そして、受信側の無線映像通信機器１は、送信側の無線映像通信機器２からデジタル映像信号を無線信号化したデジタル映像通信信号を受信すると、デジタル映像表示機器３ａから表示出力する場合は、そのデジタル映像通信信号から抽出したデジタル映像信号をそのまま高速シリアルバス５を介してデジタル映像表示機器３ａに供給するのに対し、アナログ映像表示機器３ｂから表示出力する場合は、そのデジタル映像通信信号から抽出したデジタル映像信号を伸張復号化してアナログ映像信号に変換してから信号線ケーブル６を介してアナログ映像表示機器３ｂに供給する構成になっている。
【００３６】
上述したように、無線映像通信機器２，１は、上述した映像信号の送出側である映像送出機器４と映像信号の表示出力側である映像表示機器３との間に介在し、互いに離間配置された映像送出機器４と映像表示機器３との間で映像信号を無線通信するために用いられるものである。
【００３７】
次に、図２により、上述した送信側の無線映像通信機器の一実施例の構成について説明する。
【００３８】
図２は、図１に示した送信側の無線映像通信機器の一実施例の構成図である。
本実施例の場合、送信側の無線映像通信機器２は、デジタル，アナログそれぞれの映像信号入力に対応するため、デジタル，アナログそれぞれ専用の映像入力を有する構成になっている。そのため、送信側の無線映像通信機器２は、デジタル映像送出機器４ａから供給されるデジタル映像信号の入力として、ＩＥＥＥ１３９４規格による高速シリアルバス５（図１参照）が接続されるｉ.ＬＩＮＫインタフェース２１を有し、アナログ映像送出機器４ｂから供給されるアナログ映像信号の入力として、信号線ケーブル６（図１参照）が接続されるアナログ入力端子２２（２２ａ，２２ｂ）を有する。そして、ｉ.ＬＩＮＫインタフェース２１には、高速シリアルバス５を介して、１乃至複数のＤＶＤ等のデジタル映像送出機器４ａが通信接続され、アナログ入力端子２２ａ，２２ｂには、それぞれ信号線ケーブル６を介してアナログＶＴＲ等のアナログ映像送出機器４ｂのアナログ外部出力が信号線接続される。
【００３９】
ｉ．ＬＩＮＫインタフェース２１は、デジタル映像送出機器４ａから高速シリアルバス５を介して受信した受信信号のＴＳ（Transport Stream）に含まれているデジタル映像信号を取り出して、ＴＳ（Transport Stream）切替部２６の切替入力に供給出力する。
【００４０】
また、ｉ．ＬＩＮＫインタフェース２１は、制御部２５からの制御信号（図示省略）に基づいて、デジタル映像送出機器４ａを作動制御するためのＡＶ/Ｃコマンドを含む送信信号を生成して出力するようにもなっている。
【００４１】
アナログ入力端子２２ａ，２２ｂは、それぞれ信号線ケーブル６を介して受信したアナログ映像送出機器４ｂからのアナログ映像信号を、アナログ入力切替部２３に供給する。
【００４２】
アナログ入力切替部２３は、制御部２５から供給される制御信号に基づいて、アナログ入力端子２２ａ，２２ｂそれぞれを介して入力されるアナログ映像信号を、選択的にコーデック（CODEC）２４のエンコード入力に供給する。
【００４３】
コーデック２４は、エンコード入力されるアナログ映像信号を、ＭＰＥＧ方式で圧縮符号化してデジタル映像信号を生成してエンコード出力するエンコード機能と、ＭＰＥＧ方式で圧縮符号化されたデジタル映像信号を伸張復号化してアナログ映像信号を生成してデコード出力するデコード機能とを備えた集積回路である。
【００４４】
送信側の無線映像通信機器２では、コーデック２４は、制御部２５からの制御信号に基づいて、アナログ入力切替部２３を介してそのエンコード入力に供給されるアナログ映像信号を、そのエンコード機能によりデジタル映像信号化してＭＰＥＧ方式で圧縮符号化したデジタル映像信号（すなわちＭＰＥＧ-ＴＳ）を生成し、そのエンコード出力からＴＳ切替部２６に供給出力する。
【００４５】
ＴＳ切替部２６のそれぞれ切替入力には、ｉ．ＬＩＮＫインタフェース２１を介して外部入力されるデジタル映像信号（ＭＰＥＧ-ＴＳ）と、コーデック２４から出力されるデジタル映像信号（ＭＰＥＧ-ＴＳ）とが供給される。ＴＳ切替部２６は、制御部２５から供給される制御信号に基づいて、ｉ．ＬＩＮＫインタフェース２１及びコーデック２４それぞれから供給されるデジタル映像信号（ＭＰＥＧ-ＴＳ）を、選択的にその切替出力から無線送受信部２７に供給する。
【００４６】
無線送受信部２７は、ＴＳ切替部２６から供給されるデジタル映像信号（ＭＰＥＧ-ＴＳ）を、予め定められた無線通信規格（例えば、ＩＥＥＥ８０２.１１方式，ＵＷＢ方式，ワイヤレス１３９４方式等、なお、本実施の形態では、ＩＥＥＥ８０２.１１方式を採用しているものとする）に従って無線信号化してデジタル映像通信信号を生成し、無線送出する。
【００４７】
また、無線送受信部２７は、受信側の無線映像通信機器１から無線送出されるデジタル映像通信信号を受信し、その中に含まれる受信側の無線映像通信機器１からの送信側の無線映像通信機器２に対する制御コマンドを取り出し、制御部２５に供給する。
【００４８】
制御部２５は、上記した受信側の無線映像通信機器１から供給される制御コマンドや、予め内部の記憶手段に記憶されている機器制御プログラムにしたがって、上述した各部を作動制御する。
【００４９】
次に、本実施の形態に係る受信側の無線映像通信機器１の一実施例の構成について説明する。
【００５０】
図３は、本発明の一実施の形態に係る受信側の無線映像通信機器の構成図である。
図３において、受信側の無線映像通信機器１は、例えば、ＩＥＥＥ８０２.１１方式，ＵＷＢ方式，ワイヤレス１３９４方式等といった予め定められた無線通信規格の無線送受信部１７を備えている。なお、本実施の形態では、無線送受信部１７は、送信側の無線映像通信機器２の無線送受信部２７に対応して、ＩＥＥＥ８０２.１１方式を採用しているものとする。
【００５１】
無線送受信部１７は、送信側の無線映像通信機器２の無線送受信部２７から無線送出されるデジタル映像通信信号を受信し、この無線受信したデジタル映像通信信号を、予め定められた無線通信規格としてのＩＥＥＥ８０２.１１方式にしたがって、ＭＰＥＧ方式で圧縮符号化されたデジタル映像信号（ＭＰＥＧ-ＴＳ）を抽出し、ＴＳ（Transport Stream）切替部１６の切替入力に供給出力する。
【００５２】
また、無線送受信部１７は、後述する制御部１５からの制御信号に基づいて、送信側の無線映像通信機器２を作動制御するための制御コマンドを含むデジタル映像通信信号を生成し、無線送出する。
【００５３】
さらに、本実施の形態の場合、無線送受信部１７には、デジタル映像通信信号の受信不良を検出するための受信異常検出部１９が付設されている。この受信異常検出部１９は、例えば受信したデジタル映像通信信号の受信レベルやその受信時のチェックに基づいて、デジタル映像通信信号の受信不良を検出する。そして、受信異常検出部１９は、受信不良を検出した場合は、異常検出信号を制御部１５に供給する。
【００５４】
ＴＳ切替部１６のそれぞれ切替入力には、無線送受信部１７により無線受信したデジタル映像通信信号から抽出したデジタル映像信号（ＭＰＥＧ-ＴＳ）と、後述するコーデック（CODEC）１４のエンコード出力から供給されるデジタル映像信号（ＭＰＥＧ-ＴＳ）が供給される。ＴＳ切替部１６は、制御部１５から供給される制御信号に基づいて、無線送受信部１７を介して受信したデジタル映像信号（ＭＰＥＧ-ＴＳ）をコーデック１４のデコード入力に供給するか、無線送受信部１７を介して受信したデジタル映像信号（ＭＰＥＧ-ＴＳ）をｉ．ＬＩＮＫインタフェース１１に供給するか、コーデック１４のエンコード出力から供給されるデジタル映像信号（ＭＰＥＧ-ＴＳ）をｉ．ＬＩＮＫインタフェース１１に供給するかを選択的に切り替える。
【００５５】
ｉ．ＬＩＮＫインタフェース１１は、ＩＥＥＥ１３９４規格による高速シリアルバスを利用した通信インタフェースで、ｉ．ＬＩＮＫインタフェース１１には、高速シリアルバス５を介して、１乃至複数のＤＴＶ等のデジタル映像表示機器３ａにそれぞれ備えられたｉ．ＬＩＮＫインタフェースと通信接続される。
【００５６】
そして、ｉ．ＬＩＮＫインタフェース１１は、ＴＳ切替部１６の切替出力から供給される無線送受信部１７又はコーデック１４からのデジタル映像信号（ＭＰＥＧ-ＴＳ）を、ＩＥＥＥ１３９４規格による高速シリアルバス５にのせて、デジタル映像表示機器３ａに送出する。
【００５７】
また、ｉ．ＬＩＮＫインタフェース１１は、高速シリアルバス５を介して受信した受信信号に、デジタル映像表示機器３ａからのＡＶ/Ｃコマンドが含まれている場合は、これを抽出して制御部１５に供給する。
【００５８】
コーデック１４は、アナログ映像信号をデジタル化し、ＭＰＥＧ方式に基づいて圧縮符号化してデジタル映像信号を変換するエンコード機能と、ＭＰＥＧ方式に基づいて圧縮符号化されたデジタル映像信号を伸張復号化してアナログ映像信号を変換するデコード機能とを備えた集積回路である。ここでは、コーデック１４は、制御部１５からの制御信号に基づいて、ＴＳ切替部１６の切替出力から供給される無線送受信部１７が受信したデジタル映像信号（ＭＰＥＧ-ＴＳ）を、そのデコード機能によりアナログ化してアナログ映像信号に変換し、そのデコード出力からアナログ映像切替部１３に供給出力する。また、コーデック１４は、制御部１５からの制御信号に基づいて、アナログ映像切替部１３の切替出力から供給されるアナログ映像信号を、そのエンコード機能によりデジタル化し、ＭＰＥＧ方式に基づいて圧縮符号化したデジタル映像信号（ＭＰＥＧ-ＴＳ）に変換し、そのエンコード出力からＴＳ切替部１６の切替入力に供給出力する。
【００５９】
アナログ映像切替部１３は、制御部１５からの制御信号に基づいて、コーデック１４のデコード出力から供給されるアナログ映像信号をアナログ出力端子１２に供給出力するか、次に述べる画像生成部１８から供給されるアナログ映像信号をコーデック１４のエンコード入力及びアナログ出力端子１２に供給出力するかを選択的に切り替える。
【００６０】
画像生成部１８は、制御部１５からの制御信号に基づいて、受信側の無線映像通信機器１自身の動作状態に対応した状態報知や操作案内の状態表示画面に関してのアナログ映像信号を生成し、アナログ映像切替部１３の切替入力に供給出力する。
【００６１】
１０はリモコン受光部で、リモコン操作器９からの操作信号を受信し、リモコン操作器９からのリモコン操作に対応したコマンドを制御部１５に供給出力する。
【００６２】
制御部１５は、上記したｉ．ＬＩＮＫインタフェース１１から供給されるデジタル映像表示機器３ａからのＡＶ/Ｃコマンド及びリモコン操作器９からの操作に基づきリモコン受光部１０から供給されるリモコン操作コマンドや、予め内部の記憶手段に記憶されている機器制御プログラムにしたがって、上述した各部を作動制御する。
【００６３】
次に、上述した構成からなる無線ＡＶ情報伝送システムを用い、映像送出機器４から出力供給される映像信号を、互いに無線通信可能な送・受信側それぞれの無線映像通信機器２，１を介して、映像送出機器４とは離れた場所にある映像表示機器３から表示出力させて視聴する場合について説明する。
【００６４】
ユーザによって、送信側無線映像通信機器２が起動されると、送信側無線映像通信機器２の制御部２５は、各部をイニシャライズする。そして、送信側無線映像通信機器２の制御部２５は、シリアルバス５を介して通信接続されているデジタル映像表示機器３ａの存在状況の確認を行う。この確認にあたって、ｉ．ＬＩＮＫインタフェース２１は、例えば上述の制御部２５によるイニシャライズに基づき、例えばブロードキャスト方式、ポーリング方式等によって、高速シリアルバス５に現在通信接続されているデジタル映像送出機器４ａの確認を行い、その確認結果を制御部２５に供給する構成になっている。そして、この確認結果は、制御部２５内の記憶部に記憶される。
【００６５】
その上で、送信側の無線映像通信機器２の制御部２５自身は、無線送受信部２７による受信側の無線映像通信機器１から送出されるデジタル映像通信信号に含まれる自身に対する制御コマンドの受信待ち状態になる。
【００６６】
なお、以降の説明では、説明簡便のため、映像送出機器４は、映像送出機器４側で、独自にユーザにより送信側の無線映像通信機器２に対する映像信号出力モードが設定され、送信側の無線映像通信機器２は映像送出機器４から映像信号が供給出力状態になっているものとして説明する。その際、送信側の無線映像通信機器２は、その制御部２５が無線送受信部２７を介して受信側の無線映像通信機器１から自身に対する所定の制御コマンドの供給を受けるまでは、上述した映像送出機器４から供給されている映像信号について、無線送受信部２７からの送出を行わないものとして説明する。
【００６７】
このような状態にある送信側の無線映像通信機器２に対して、受信側の無線映像通信機器１がユーザにより起動されると、受信側無線映像通信機器１の制御部１５は、各部をイニシャライズし、制御部１５自身は、リモコン操作器９による送信側無線映像通信機器２の映像入力の選択モードになる。
【００６８】
この映像入力の選択モードでは、制御部１５は、シリアルバス５を介して通信接続されているデジタル映像表示機器３ａの存在状況の確認を行う。この確認にあたって、ｉ．ＬＩＮＫインタフェース１１は、例えば上述の制御部１５によるイニシャライズに基づき、例えばブロードキャスト方式、ポーリング方式等によって、高速シリアルバス５に現在通信接続されているデジタル映像表示機器３ａの確認を行い、その確認結果を制御部１５に供給する構成になっている。
【００６９】
また、この映像入力の選択モードでは、制御部１５は、ｉ．ＬＩＮＫインタフェース１１を介して、高速シリアルバス５に通信接続されているデジタル映像送出機器４ａの接続状況の確認を送信側の無線映像通信機器２に対して行い、その確認結果を制御部１５内の記憶部に取得する構成にもなっている。なお、この送信側の無線映像通信機器２に対しての高速シリアルバス５に通信接続されているデジタル映像送出機器４ａの接続状況の確認は、受信側の無線映像通信機器１の起動時に限らず、ユーザによるリモコン操作器９の所定操作による映像送出機器４の切り替え時等、適宜行われる構成になっている。
【００７０】
これらデジタル映像表示機器３ａの存在状況の確認、及び送信側の無線映像通信機器２に接続されているデジタル映像送出機器４ａの確認がなされると、受信側の無線映像通信機器１の制御部１５は、上記送信側の無線映像通信機器２に接続されているデジタル映像送出機器４ａの確認結果を基に、画像生成部１８に映像送出機器４の選択案内画面７０の作成出力を指示する。
【００７１】
図４は、受信側の無線映像通信機器の画像生成部で生成される映像送出機器の選択案内画面の一実施例を示したものである。
【００７２】
図１の接続状況を例に、図４に示した映像送出機器４の選択案内画面７０を説明すると、選択案内画面７０は、送信側の無線映像通信機器２に接続されている映像送出機器４の機器案内表示７１〜７４と、その映像送出機器４の選択操作におけるリモコン操作器９のキー操作案内表示７５〜７７とを備えて形成される。この場合、機器案内表示７１は、送信側の無線映像通信機器２のアナログ入力端子２２ａに接続されているアナログ映像送出機器４ｂを、機器案内表示７２は、同じくアナログ入力端子２２ａに接続されているアナログ映像送出機器４ｂをそれぞれ示したものである。また、機器案内表示７３は、送信側の無線映像通信機器２のｉ．ＬＩＮＫインタフェース２１に高速シリアルバス５を介して通信接続されている一方のデジタル映像送出機器４ａを、機器案内表示７４は、同じくｉ．ＬＩＮＫインタフェース２１に高速シリアルバス５を介して通信接続されている他方のデジタル映像送出機器４ａをそれぞれ示したものである。
【００７３】
受信側の無線映像通信機器１の画像生成部１８は、図４に示したような映像送出機器４の選択案内画面７０を、制御部１５からの指示に基づきアナログ映像画面で生成し、アナログ映像切替部１３に供給する。
【００７４】
その際、受信側の無線映像通信機器１の制御部１５は、画像生成部１８から供給される選択案内画面７０のアナログ映像信号をコーデック１４のエンコード入力及びアナログ出力端子１２に供給出力するようにアナログ映像切替部１３を切り替えるとともに、コーデック１４のアナログ映像信号をデジタル映像信号を変換するエンコード機能を起動させて、ＴＳ切替部１６をコーデック１４のエンコード出力から供給されるデジタル映像信号（ＭＰＥＧ-ＴＳ）をｉ．ＬＩＮＫインタフェース１１に供給するように切り替える。
【００７５】
これにより、アナログ出力端子１２に信号線ケーブル６を介して接続されているアナログ映像表示機器３ｂには、その作動状態にかかわらず、受信側の無線映像通信機器１から選択案内画面７０のアナログ映像信号が送出される。
【００７６】
また、受信側の無線映像通信機器１のｉ．ＬＩＮＫインタフェース１１には、コーデック１４によって変換された選択案内画面７０のデジタル映像信号がＴＳ切替部１６を介して供給され、ｉ．ＬＩＮＫインタフェース１１からは、この選択案内画面７０のデジタル映像信号を含むデジタル映像送信信号が、ｉ．ＬＩＮＫインタフェース１１に高速シリアルバス５を介して通信接続されているデジタル映像表示機器３ａに送出される。
【００７７】
図５は、画像生成部で生成された選択案内画面の送出に関しての受信側の無線映像通信機器における各部の状態説明図である。
この場合、ｉ．ＬＩＮＫインタフェース１１からは、高速シリアルバス５を介して通信接続されているデジタル映像表示機器３ａ，３ａそれぞれの作動状態にかかわらずブロードキャストで送出するようにしても、又は既に作動状態が確認されているデジタル映像表示機器３ａのみ宛に送出するようにしてもよい。
【００７８】
これにより、受信側の無線映像通信機器１に接続されているデジタル映像表示機器３ａ及びアナログ映像表示機器３ｂは、自身が作動状態にあれば、自身の表示部には、図４に示した映像送出機器４の選択案内画面７０が表示されることになる。
【００７９】
そして、ユーザは、この映像表示機器３の表示部に表示された選択案内画面７０を見ながら、送出側の無線映像通信機器２に接続されている映像送出機器４ａ，４ｂを、リモコン操作器９を操作して選択することができる。
【００８０】
この場合、ユーザは、図４に示した映像送出機器４の選択案内画面７０を見ながら、その機器案内表示７１，７２，７３，７４に対応したリモコン操作器９の方向キーを操作して、映像送出機器４ａ，４ａ，４ｂ，４ｂの中の一の映像送出機器４を選択することができ、機器案内表示７７に対応したリモコン操作器９の決定キーを操作して、当該選択した一の映像送出機器を設定することができる。
【００８１】
そして、受信側の無線映像通信機器１の制御部１５は、リモコン受光部１０から供給されるリモコン操作器９の方向キーの操作に対応したコマンドを受けて、選択案内画面７０において現在選択されている映像送出機器４の表示を変更した選択案内画面７０を新たに作成出力するよう画像生成部１８に指示するとともに、リモコン受光部１０から供給されるリモコン操作器９の決定キーの操作に対応したコマンドを受けて、選択案内画面７０において現在選択されている映像送出機器４を自身の記憶部に今回の映像送出機器として設定記憶する。
【００８２】
その上で、本実施の形態に係る受信側の無線映像通信機器１では、受信側の無線映像通信機器を選択できる構成になっている。
【００８３】
すなわち、制御部１５は、上述した映像送出機器４の選択設定が終了すると、前述した受信側の無線映像通信機器１に接続されているデジタル映像表示機器３ａの確認結果を基に、画像生成部１８に映像表示機器４の選択案内画面８０の作成出力を指示する。
【００８４】
図６は、受信側の無線映像通信機器の画像生成部で生成される映像表示機器の選択案内画面の一実施例を示したものである。
図１の接続状況を例に、図６に示した映像表示機器４の選択案内画面８０を説明すると、選択案内画面８０は、受信側の無線映像通信機器１に接続されている映像表示機器３の機器案内表示８１〜８４と、その映像送出機器４の選択操作におけるリモコン操作器９のキー操作案内表示８５〜８８とを備えて形成される。この場合、機器案内表示８１は、受信側の無線映像通信機器１のアナログ出力端子１２に接続されているアナログ映像表示機器３ｂを、機器案内表示８２は、受信側の無線映像通信機器１のｉ．ＬＩＮＫインタフェース１１に高速シリアルバス５を介して通信接続されている一方のデジタル映像表示機器３ａを、機器案内表示８２は、同じくｉ．ＬＩＮＫインタフェース１１に高速シリアルバス５を介して通信接続されている他方のデジタル映像表示機器３ａをそれぞれ示したものである。
【００８５】
この場合、ユーザは、図６に示した映像表示機器３の選択案内画面８０を見ながら、前述した映像送出機器４の選択案内画面７０の場合と同様にして、リモコン操作器９の操作して、制御部１５の記憶部に今回の映像表示機器３を設定記憶させることができる。
【００８６】
このようにして、ユーザによって、今回視聴に用いる映像送出機器４と映像表示機器３との組み合わせが設定され、受信側の無線映像通信機器１の制御部１５内部の記憶部に設定記憶されると、制御部１５は次に述べるような切替処理を実行する。
【００８７】
まず、制御部１５は、設定記憶された映像表示機器３に対応して、アナログ映像切替部１３及びＴＳ切替部１６を切り替え、必要な場合には、コーデック１４のデジタル映像信号をアナログ映像信号に変換するデコード機能を起動させる。
【００８８】
例えば、デジタル映像表示機器３ａが今回出力用の映像表示機器３として設定記憶されている場合には、制御部１５は、アナログ映像切替部１３を、画像生成部１８から供給されるアナログ映像信号をコーデック１４のエンコード入力に供給出力するように切り替えるとともに、ＴＳ切替部１６を、無線送受信部１７を介して受信したデジタル映像信号（ＭＰＥＧ-ＴＳ）をｉ．ＬＩＮＫインタフェース１１に供給するように切り替える。
【００８９】
図７は、デジタル映像表示機器が選択設定された場合における受信側の無線映像通信機器の切替状態を示した図である。
これに対して、アナログ映像表示機器３ｂが今回出力用の映像表示機器３として設定記憶されている場合には、制御部１５は、ＴＳ切替部１６を、無線送受信部１７を介して受信したデジタル映像信号（ＭＰＥＧ-ＴＳ）をコーデック１４のデコード入力に供給出力するように切り替えるとともに、アナログ映像切替部１３を、コーデック１４のデコード出力をアナログ出力端子１２に供給するように切り替える。
【００９０】
図８は、アナログ映像表示機器が選択設定された場合における受信側の無線映像通信機器の切替状態を示した図である。
これとともに、受信側の無線映像通信機器１の制御部１５は、無線送受信部１７を介して、送信側の無線映像通信機器２に対して、今回送出用の映像送出機器４として設定記憶された映像送出機器から供給される映像信号を映像通信信号として送信させるための送信制御コマンドを映像通信信号に含めて送信する。
【００９１】
前述した制御コマンドの受信待ち状態になっている送信側の無線映像通信機器２の制御部２５は、この映像送出機器４の送信制御コマンドを含むデジタル映像通信信号をその無線送受信部２７が受信すると、その無線送受信部２７が送信制御コマンドを抽出し、制御部２５に供給する。
【００９２】
そして、送信側の無線映像通信機器２の制御部２５は、送信制御コマンドで指定された映像送出機器４に対応して、ＴＳ切替部１６を切り替え、必要な場合には、アナログ映像切替部１３を切り替えるとともに、コーデック２４のアナログ映像信号をデジタル映像信号に変換するデコード機能を起動させる。
【００９３】
図９は、デジタル映像送出機器が指定された場合における送信側の無線映像通信機器の切替状態を示した図である。
【００９４】
図１０は、アナログ映像送出機器が指定された場合における送信側の無線映像通信機器の切替状態を示した図である。
したがって、上述した受信側の無線映像通信機器１からの送信制御コマンドにより指定された送信側の無線映像通信機器２の映像入力２１，２２ａ，２２ｂいずれかから供給される映像信号が、必要に応じてデジタル映像信号に変換された後、映像通信信号に無線信号化した上で、受信側の無線映像通信機器１に送出することができる。
【００９５】
そして、ユーザは、映像送出機器４の選択案内画面７０、映像表示機器３の選択案内画面８０を見ながら、リモコン操作器９を操作して、送信側の無線映像通信機器２の映像入力２１，２２ａ，２２ｂ、及びその視聴に用いる映像表示機器３を、確認しながら選択設定することができる。
【００９６】
さらに、ユーザが、映像送出機器４の選択案内画面７０、映像表示機器３の選択案内画面８０を見ながら、リモコン操作器９を操作して、送信側の無線映像通信機器２の入力２１を選択し、また、その視聴に用いる映像表示機器３としてデジタル映像表示機器３ａを選択した状態では、受信側の無線映像通信機器１の切替状態は図７に示すようになり、送信側の無線映像通信機器１の切替状態は図９に示すようになるため、デジタル映像表示機器３ａとデジタル映像送出機器４ａとの間で、デジタル映像信号を途中でデータ形式が変換されることなく、そのまま両者間で送受信できる。そのため、一方の機器から他方の機器へ、一方の機器の機器専用リモコンを操作して、他方の機器に対するＡＶ／Ｃコマンドを無線映像通信機器１，２が介在していることを意識させることなく送信することも可能である。
【００９７】
次に、送信側の無線映像通信機器２から無線送出されたデジタル映像通信信号を受信側の無線映像通信機器１で受信し、そのデジタル映像通信信号に含まれる映像通信信号を、受信側の無線映像通信機器１に接続されているデジタル映像表示機器３ａ又はアナログ映像表示機器３ｂから表示出力させているときに、受信側の無線映像通信機器１において受信電波障害が生じた場合について説明する。
【００９８】
この場合、受信側の無線映像通信機器１では、受信異常検出部１９がデジタル映像通信信号の受信不良を検出すると、制御部１５には受信異常検出部１９から異常検出信号が供給される。
【００９９】
制御部１５は、受信異常検出部１９から異常検出信号が供給されると、図７に示したデジタル映像表示機器３ａが通信接続されている場合の映像信号受信出力モードの切替状態、又は図８に示したアナログ映像表示機器３ｂにより視聴が行われている場合の映像信号受信出力モードの切替状態を、ＴＳ切替部１６，コーデック１４，アナログ映像切替部１３に制御信号を供給して切り替える。
【０１００】
制御部１５は、図７に示したデジタル映像表示機器３ａにより視聴が行われている切替状態にある場合は、前述の図５に示す切替状態に各部１６，１４，１３を切り替え、また、図８に示したアナログ映像表示機器３ｂにより視聴が行われている切替状態にある場合は、前述の図５に示す切替状態に各部１６，１４，１３を切り替える。
【０１０１】
そして、制御部１５は、上記切替状態においては、画像生成部１８に対して、受信不良の報知画面についてのアナログ映像信号の生成出力を指示するとともに、コーデック１４に対してエンコードを指示する。
【０１０２】
これにより、前述したリモコン操作器９による送信側無線映像通信機器２の映像入力選択の案内画面７０の場合と同様にして、受信不良の報知画面を今まで視聴していたデジタル映像表示機器３ａ又はアナログ映像表示機器３ｂから表示出力させることができる。
【０１０３】
図１１は、受信側の無線映像通信機器における受信不良の報知画面の一実施例を示した図である。
本実施例の場合、図１１に示した受信不良の報知画面９０においても、その画面下方に、リモコン操作器９の方向キーによる現在状態確認のための受信側の無線映像通信機器１の機器案内表示９１と、同じく戻りキーによる視聴画面に戻るための受信側の無線映像通信機器１の機器案内表示９２とが表示される構成になっている。
【０１０４】
例えば、受信不良の報知画面９０の案内にしたがって、リモコン操作器９の方向キーをユーザが操作した場合には、受信側の無線映像通信機器１の制御部１５は、リモコン受光部１０からその操作信号の供給を受けて、画像生成部１８に対して、図１２に示すような現状状態の報知画面９５についてのアナログ映像信号の生成出力を指示し、受信不良の報知画面９０に代えて、視聴していたデジタル映像表示機器３ａ又はアナログ映像表示機器３ｂから表示出力させるようになっている。
【０１０５】
図１２は、受信側無線映像通信機器における現状状態の報知画面の一実施例を示した図である。
本実施例では、現状状態として、送信側の無線映像通信機器２の映像入力選択操作により現在選択されている送信側の無線映像通信機器２における映像入力、受信異常検出部１９により検出されたデジタル映像通信信号の受信レベル９６や、リモコン操作器９の操作による機器案内表示９７が表示されるようになっている。
【０１０６】
したがって、送信側の無線映像通信機器２と受信側の無線映像通信機器１との間のデジタル映像通信信号による無線区間において、受信側の無線映像通信機器１の受信異常が生じた場合には、ユーザは端に視聴画像の乱れ等に感得するのではなく、視聴に使用していた映像表示機器３からの受信側の無線映像通信機器１により生成された受信不良を示す報知画面９０，９５の表示出力によって、受信不良の発生を容易に確認することができる。また、受信不良の報知画面９０，９５が表示された後の対処のための、受信側無線映像通信機器１のリモコン操作器９の機器案内表示９１，９２，９７も確認することができる。
【０１０７】
以上説明したように、本実施の形態による受信側の無線映像通信機器１によれば、受信側の無線映像通信機器１自身の動作状態等に係るメッセージを、接続されている映像表示機器３との間で予め独自のＡＶ/Ｃコマンド等を決めておかずとも、この映像表示機器３から表示出力させることができる。
【０１０８】
なお、上述した本実施の形態では、受信側の無線映像通信機器１では、映像送出機器４の選択案内画面７０により送信側の無線映像通信機器２における映像入力を設定入力した後、映像表示機器３の選択案内画面８０によりその視聴に用いる映像表示機器３を映像表示機器３を設定入力してから、受信側の無線映像通信機器１から送信側の無線映像通信機器２へ送信制御コマンドを送出する構成としたが、映像送出機器４の選択案内画面７０で映像送出機器４の機器案内表示７１〜７４のいずれかをリモコン操作器９の方向キーの操作により選択する毎に、送信側の無線映像通信機器２へ対応する映像入力２１，２２ａ，２２ｂによる映像信号の送信制御コマンドを送出するように構成することも可能である。この場合、受信側の無線映像通信機器１の制御部１５は、この送信制御コマンドを無線送受信部１７から送出させた後、予め定められた限時時間間隔で、図５に示した切替状態から、図７及び図８に示した切替状態をそれぞれ経て、再び図５に示した切替状態に戻るように各部を切り替える構成を採用することによって、リモコン操作器９の決定キーの操作前に、送信側の無線映像通信機器２の対応する映像入力２１，２２ａ，２２ｂから供給される映像内容を、ユーザが事前確認できるようにもなる。
【０１０９】
次に、本発明の受信側の無線映像通信機器１の別の実施例の構成について説明する。
図１３は、本発明の別の実施の形態に係る受信側の無線映像通信機器の構成図である。
図１３に示した受信側の無線映像通信機器１では、図３により説明した受信側の無線映像通信機器１の構成に対して、そのアナログ映像切替部１３とアナログ出力端子１２との間に、制御部１５によってその作動が制御されるＯＳＤ（On Screen Display）処理部３１を追加したことを特徴とする。
【０１１０】
本実施の形態によれば、ＯＳＤ処理部３１を追加したことにより、画像生成部１８は、デジタル映像表示機器３ａ専用の操作画面（メッセージ画面）を、ＯＳＤ処理部３１はアナログ映像表示機器３ｂ専用の操作画面（メッセージ画面）を独立して生成することができる。
【０１１１】
図１４は、本発明のさらに別の実施の形態に係る受信側の無線映像通信機器の構成図である。
本実施の形態による受信側の無線映像通信機器１”によれば、ＯＳＤ処理部３１の出力をアナログ映像切替部１３の切替入力に供給することにより、操作画面（メッセージ画面）の生成を画像生成部１８をＯＳＤ処理部３１で置換することができる。
【０１１２】
本発明の無線映像通信機器及びそのメッセージ表示方法は、以上説明したとおりであるが、その実施の形態は上述した実施の形態に限定されるものではなく、種々の変形例が可能である。
【０１１３】
例えば、上述した送信側の無線映像通信機器２の映像入力選択の案内画面については、送信側の無線映像通信機器２において、生成することも可能である。
【０１１４】
この場合、例えば、図２で説明した送信側の無線映像通信機器２の構成において、制御部２５による制御によって映像入力選択の案内画面を生成出力可能な画像生成部を設け、アナログ入力切替部２３の切替入力に、アナログ入力端子２２ａ，２２ｂそれぞれからの外部入力に加えて、この画像生成部によって生成される映像入力選択の案内画面に係るアナログ映像信号も供給されるように接続構成する。そして、映像入力選択の案内画面の受信側の無線映像通信機器１に接続された映像表示機器３への表示出力時には、制御部２５がアナログ入力切替部２３及びＴＳ切替部２６を切替制御して、画像生成部によって生成される映像入力選択の案内画面に係るアナログ映像信号をコーデック２４によってデジタル映像信号化した後、無線送受信部２７から送出する構成とすることによって行える。
【０１１５】
また、送信側の無線映像通信機器２に接続される映像送出機器４の数、及び受信側の無線映像通信機器１に接続される映像表示機器３の数も任意である。
【図面の簡単な説明】
【０１１６】
【図１】本実施の形態の無線映像通信機器を用いた無線ＡＶ情報伝送システムの一実施例の構成図である。
【図２】図１に示した送信側の無線映像通信機器の一実施例の構成図である。
【図３】図１に示した受信側の無線映像通信機器の一実施例の構成図である。
【図４】受信側の無線映像通信機器の画像生成部で生成される映像送出機器の選択案内画面の一実施例を示したものである。
【図５】画像生成部で生成された選択案内画面の送出に関しての受信側の無線映像通信機器における各部の状態説明図である。
【図６】受信側の無線映像通信機器の画像生成部で生成される映像表示機器の選択案内画面の一実施例を示したものである。
【図７】デジタル映像表示機器が選択設定された場合における受信側の無線映像通信機器の切替状態を示した図である。
【図８】アナログ映像表示機器が選択設定された場合における受信側の無線映像通信機器の切替状態を示した図である。
【図９】デジタル映像送出機器が指定された場合における送信側の無線映像通信機器の切替状態を示した図である。
【図１０】アナログ映像送出機器が指定された場合における送信側の無線映像通信機器の切替状態を示した図である。
【図１１】受信側の無線映像通信機器における受信不良の報知画面の一実施例を示した図である。
【図１２】受信側無線映像通信機器における現状状態の報知画面の一実施例を示した図である。
【図１３】本発明の別の実施の形態に係る受信側の無線映像通信機器の構成図である。
【図１４】本発明のさらに別の実施の形態に係る受信側の無線映像通信機器の構成図である。
【符号の説明】
【０１１７】
１  受信側無線映像通信機器
２  送信側無線映像通信機器
３  映像表示機器
４  映像送出機器
５  高速シリアルバス
６  信号線ケーブル
９  リモコン操作器
１０  リモコン受光部
１１  ｉ．ＬＩＮＫインタフェース
１２  アナログ出力端子
１３  アナログ映像切替部
１４  コーデック（ＣＯＤＥＣ）
１５  制御部
１６  ＴＳ切替部
１７  無線送受信部
１８  画像生成部
１９  受信異常検出部
２１  ｉ．ＬＩＮＫインタフェース
２２  アナログ入力端子
２３  アナログ入力切替部
２４  コーデック（ＣＯＤＥＣ）
２５  制御部
２６  ＴＳ切替部
２７  無線送受信部
３１  ＯＳＤ処理部
【図１】
2007295336.tif 000003
【図２】
2007295336.tif 000004
【図３】
2007295336.tif 000005
【図４】
2007295336.tif 000006
【図５】
2007295336.tif 000007
【図６】
2007295336.tif 000008
【図７】
2007295336.tif 000009
【図８】
2007295336.tif 000010
【図９】
2007295336.tif 000011
【図１０】
2007295336.tif 000012
【図１１】
2007295336.tif 000013
【図１２】
2007295336.tif 000014
【図１３】
2007295336.tif 000015
【図１４】
2007295336.tif 000016